(57)【要約】【課題】スペースの無駄もコストアップも生じないノイズ対策を施した空調機を提供する。【解決手段】ケーシング内に圧縮機２３を搭載する空調機であって、ケーシング内の空間を仕切る仕切り板２４と、仕切り板２４に取り付けられた電装品箱２５と、電装品箱２５の近傍に取り付けられた端子台３０と、電装品箱２５から出て圧縮機２３に至る駆動用電線Ｐと、駆動用電線Ｐの途中に装着されたノイズフィルタ３１とを備えたものにおいて、仕切り板２４は磁性体金属製であり、かつ、駆動用電線Ｐのうち、ノイズフィルタ３１のある位置から圧縮機２３に至るまでの配線長の少なくとも一部が、仕切り板２４に接触して取り付けられることにより、駆動用電線Ｐから発生する電磁波ノイズを仕切り板２４に逃がすようにする。【選択図】図５
2011231964.tif 000002
【特許請求の範囲】
【請求項１】
ケーシング（１０）内に圧縮機（２３）を搭載する空調機であって、
前記ケーシング（１０）内の空間を仕切る仕切り板（２４）と、
前記仕切り板（２４）に取り付けられ、制御・駆動用の回路を含む電装品箱（２５）と、
前記電装品箱（２５）の近傍に取り付けられ、前記電装品箱（２５）内の回路と接続された電線に、前記電装品箱（２５）から見て外部から来る電線を接続するための端子台（３０）と、
前記電装品箱（２５）から出て前記圧縮機（２３）に至る駆動用電線（Ｐ）と、
前記駆動用電線（Ｐ）の途中に装着されたノイズフィルタ（３１）とを備え、
前記仕切り板（２４）は磁性体金属製であり、かつ、前記駆動用電線（Ｐ）のうち、前記ノイズフィルタ（３１）のある位置から前記圧縮機（２３）に至るまでの配線長の少なくとも一部が、前記仕切り板（２４）に接触して取り付けられることにより、前記駆動用電線から発生する電磁波ノイズを前記仕切り板に逃がすことを特徴とする空調機。
【請求項２】
前記ノイズフィルタ（３１）のある位置から前記圧縮機（２３）に至るまでの配線長のうち前半が前記仕切り板（２４）に触れるように沿わせてあり、後半が前記仕切り板（２４）から離れて前記圧縮機（２３）に至る請求項１記載の空調機。
【発明の詳細な説明】
【技術分野】
【０００１】
本発明は、空調機（典型的には室外機）内の配線に関する。
【背景技術】
【０００２】
空調機では、大電流が流れる圧縮機に関して特に、そのオン・オフや、インバータ駆動による電磁波ノイズが発生しやすい。例えば、室外機内部のノイズ対策として、電装品や圧縮機を収容する機械室の内部の配置を工夫することや、機械室の内部空間を区分けする仕切り板を設けて、電磁波ノイズに対する遮蔽を行う空調機も提案されている（例えば、特許文献１参照。）。
【先行技術文献】
【特許文献】
【０００３】
【特許文献１】特開２００８−２０１３３号公報（図５）
【発明の概要】
【発明が解決しようとする課題】
【０００４】
しかしながら、上記のような従来の空調機は、ファンのある熱交換室との仕切り板とは別に、機械室の内部にも仕切り板が必要であり、そのために、スペースの無駄やコストアップが生じるという問題点がある。
【０００５】
かかる従来の問題点に鑑み、本発明は、スペースの無駄もコストアップも生じないノイズ対策を施した空調機を提供することを目的とする。
【課題を解決するための手段】
【０００６】
本発明は、ケーシング内に圧縮機を搭載する空調機であって、前記ケーシング内の空間を仕切る仕切り板と、前記仕切り板に取り付けられ、制御・駆動用の回路を含む電装品箱と、前記電装品箱の近傍に取り付けられ、前記電装品箱内の回路と接続された電線に、前記電装品箱から見て外部から来る電線を接続するための端子台と、前記電装品箱から出て前記圧縮機に至る駆動用電線と、前記駆動用電線の途中に装着されたノイズフィルタとを備え、
前記仕切り板は磁性体金属製であり、かつ、前記駆動用電線のうち、前記ノイズフィルタのある位置から前記圧縮機に至るまでの配線長の少なくとも一部が、前記仕切り板に接触して取り付けられていることにより、前記駆動用電線から発生する電磁波ノイズを前記仕切り板に逃がすことを特徴とする。
【０００７】
上記のように構成された空調機では、駆動用電線の上記一部が、磁性体金属製の仕切り板に接触して取り付けられていることにより、駆動用電線から発生する電磁波ノイズを仕切り板に集中させて逃がすことができ、周辺への電磁波ノイズの影響が低減された。従って、端子台から電装品箱内の回路へ行く電線にはノイズフィルタが不要となった。
【０００８】
また、上記の空調機において、ノイズフィルタのある位置から圧縮機に至るまでの配線長のうち前半が仕切り板に触れるように沿わせてあり、後半が仕切り板から離れて圧縮機に至る、という構成であってもよい。
圧縮機は仕切り板から離れて設置されるので配線長の全てを仕切り板に沿わせることは困難であるが、このように前半を仕切り板に触れるように沿わせることで、周辺への電磁波ノイズの影響が確実に低減された。
【発明の効果】
【０００９】
本発明の空調機によれば、スペースの無駄もコストアップも生じないノイズ対策を簡単に施すことができる。
【図面の簡単な説明】
【００１０】
【図１】本発明の一実施形態に係る空調機の室外機における、外観の一例を示す斜視図である。
【図２】図１における天井部を外した状態での、室外機の内部構造の一部を示す平面図である。
【図３】図１における底部以外のケーシングを取り払った状態での、室外機の内部構造の一部を示す斜視図である。
【図４】室外機内部の主要部のみの実体配線（但し単線）に近い回路図である。
【図５】図３の一部を拡大し、かつ、実体配線の一部を示した図である。
【発明を実施するための形態】
【００１１】
《室外機の外観構成》
図１は、本発明の一実施形態に係る空調機の室外機１における、外観の一例を示す斜視図である。図において、この室外機１は、前面部１１、後面部１２、左右の側面部１３、１４、天井部１５、及び、底部１６を有する直方体状のケーシング１０を備えている。前面部１１は、左側の固定カバー１１ａと、右側の着脱容易なメンテナンスカバー１１ｂとによって構成されている。左側の固定カバー１１ａには吹出口１１ｃが形成され、この吹出口１１ｃには吹出グリル１１ｄが被せられている。後面部１２及び左の側面部１３は、外気をケーシング１０内に吸い込み可能な開口が多数形成された格子状の形状となっている。また、底部１６の下面には、据付箇所への固定用に固定脚１７が設けられている。
【００１２】
上記のメンテナンスカバー１１ｂを取り外すことによって、ケーシング１０の前面右側には開口部（サービス用開口部）が形成され、内部の点検ができる構成となっている。なお、メンテナンスカバー１１ｂの右端側は側方へ少し回り込み、側面部１４と共に右側面を形成している。
上記ケーシング１０は鋼板製であり、相互にねじ止め等で接続されることによって電気的にも接続されている。また、下方の所定部位に接地端子（図示せず。）があり、アース工事を施すことによって、ケーシング１０全体が接地される。
【００１３】
《室外機の内部構造》
図２は、図１における天井部１５を外した状態での、室外機１の内部構造の一部を示す平面図である。図２において、ケーシング１０の内部空間は、鋼板すなわち磁性体金属製の仕切り板２４によって、機械室Ｓ１と熱交換室Ｓ２とに仕切られている。仕切り板２４は、前面部１１の固定カバー１１ａと後面部１２とを繋ぐように設けられており、電気的にもケーシング１０と同様に接地されている。また、仕切り板２４には塗装が施されていない。
【００１４】
仕切り板２４は、上から見て機械室Ｓ１側が凹となる湾曲状に形成されている。また、仕切り板２４は、後部が機械室Ｓ１側（図２の右側）へ傾くように取り付けられている。
機械室Ｓ１には、圧縮機２３、電装品箱２５等が配置されている。電装品箱２５は、圧縮機２３やファン２２の制御・駆動用の回路を含むものであり、電装品をボックス状にユニット化したものである。一方、熱交換室Ｓ２には室外熱交換器２１とファン２２とが配置されている。
【００１５】
《電装品箱の構成》
図３は、図１における底部１６以外のケーシング１０を取り払った状態での、室外機１の内部構造の一部を示す斜視図である。図３において、電装品箱２５は、仕切り板２４における機械室Ｓ１側の上部に取り付けられている。この電装品箱２５は、基板部２６と、これを覆って保護する保護カバー２７とを備えている。なお図３では、保護カバー２７の左上及び左下の切り欠き部２７ａから内部の基板２６が少しだけ見えている状態であるが、基板部２６は保護カバー２７内に拡がっている。基板部２６には、圧縮機２３やファン２２等の各種機器の運転を制御するためのマイクロコンピュータや、圧縮機２３を駆動するインバータ回路等の電気部品が設けられている。
【００１６】
上記インバータ回路に電源を供給する電路にはリアクトル２８が設けられるが、これは、比較的大きく、かつ、発熱部品であるため、例えば保護カバー２７の外面に取り付けられている。また、保護カバー２７の外面には、上から見て概ねＬ字（若しくはＺ字）状に折り曲げて形成された取付部材２９が取り付けられ、この取付部材２９に、端子台３０が取り付けられている。これにより、端子台３０は正面側を向くようになっており、メンテナンスカバー１１ｂ（図１，図２）を取り外して行うケーブルの接続作業が容易である。
【００１７】
《実体配線》
図４は、室外機１内部の主要部のみの実体配線（但し単線）に近い回路図である。図において、端子台３０は前述のようにして電装品箱２５の近傍に取り付けられている。この端子台３０は、電源用の電線Ｌｐ（例えば３線）と、制御用の電線Ｌｃ（例えば３線）とによって、電装品箱２５内の回路と接続されている。また、この端子台３０に、室内機４０からの２本のケーブルで、電源用の電線Ｌｐと、制御用の電線Ｌｃとが接続される。
【００１８】
一方、電装品箱２５とファン２２とは、電線（ケーブル）Ｆによって接続される。また、電装品箱２５と圧縮機２３とは、駆動用電線Ｐ（３本）によって接続される。駆動用電線Ｐが電装品箱２５の右上から出て圧縮機２３に至る途中には、ノイズフィルタ３１が装着（外挿）されている。ノイズフィルタ３１は、例えば、分割タイプのフェライトコア又はリングコアである。ここで、本実施形態では、駆動用電線Ｐのうち、ノイズフィルタ３１のある位置から圧縮機２３に至るまでの配線長の少なくとも一部（図４のＡの部分）に、駆動用電線Ｐから発生する電磁波ノイズを吸収させ、接地を利用して逃がす方策を講じる。
【００１９】
図５は、図３の一部を拡大し、かつ、実体配線の一部を示した図である。図において、駆動用電線Ｐ（３線）は、電装品箱２５の右上から出て電装品箱２５の右側面に沿って下方へ引き出され、ノイズフィルタ３１を通過する。ノイズフィルタ３１通過後の駆動用電線Ｐは途中で薄い平型のコネクタ３２を介して圧縮機２３に接続されている。ここで、ノイズフィルタ３１通過後の駆動用電線Ｐの前半部分は、仕切り板２４に接触するように沿わせて取り付ける。例えば、仕切り板２４に小さな孔を空けて、これに通した結束バンド３３により駆動用電線Ｐを仕切り板２４に縛り付ける。駆動用電線Ｐの後半部分は、仕切り板２４から離れて圧縮機２３に至る。この前半・後半の比は、ほぼ１対１である。
【００２０】
上記のようにして、駆動用電線Ｐの一部を、磁性体金属製の仕切り板２４に接触して取り付けたことにより、駆動用電線Ｐから発生する電磁波ノイズを仕切り板２４に集中させて逃がすことができると解され、結果的に、周辺（特にノイズの影響を受けやすい端子台３０周辺）への電磁波ノイズの影響が低減されることが確認された。なお、圧縮機２３は仕切り板２４から離れて設置されるのでノイズフィルタ３１通過後の配線長の全てを仕切り板２４に沿わせることは困難であるが、このように前半を仕切り板２４に触れるように沿わせることで、周辺への電磁波ノイズの影響が確実に低減されたのである。これにより、従来ならば必要であった端子台３０から電装品箱２５内の回路へ行く電線Ｌｐ，Ｌｃには、ノイズフィルタが不要となった。
【００２１】
こうして、部材を増やすことなく（むしろノイズフィルタを減らした。）、構造を大きく変えることもなく、スペースの無駄もコストアップも生じないノイズ対策を施した空調機を提供することができる。また、ノイズを遮蔽するという考え方ではなく、仕切り板２４にノイズを吸収させて逃がすことにより、簡単で確実なノイズ対策とすることができる。
【００２２】
《その他》
なお、上記実施形態ではセパレート型の室外機について説明したが、上記のような配線を適用可能な対象は必ずしも室外機に限定されない。例えば、内外一体型の空調機や、除湿器等であっても、同様な仕切り板及び圧縮機がある構造であれば、同様の配線を施すことは可能である。
【符号の説明】
【００２３】
１０  ケーシング
２３  圧縮機
２４  仕切り板
２５  電装品箱
３１  ノイズフィルタ
Ｐ    駆動用電線
【図１】
2011231964.tif 000003
【図２】
2011231964.tif 000004
【図３】
2011231964.tif 000005
【図４】
2011231964.tif 000006
【図５】
2011231964.tif 000007